(57)【特許請求の範囲】
【請求項１】
複数のノードがリングに接続されたリング型ネットワークの接続情報と、各ノードに付与されたレイヤを示すレイヤ情報と、を読み込む接続情報入力部と、    
ノードの集合であるブランケットに接続するリングが複数存在する構成であるクロージャにおいて、レイヤが低いノードが接続されているリングを、クロージャの縦方向の内側になるように配置する縦方向配置部と、
前記縦方向配置部による前記リング及び前記ノードの配置の結果を示す情報を出力する構成図出力部と、を備え、
各ノードの前記レイヤは、当該ノードをクロージャの頂点とした場合、前記クロージャを構成するリングに接続される配下のノード数が多いほど高いレイヤが設定されるというネットワーク特性に従って付与される
ネットワーク構成図出力装置。
【請求項２】
前記縦方向配置部は、
前記クロージャにおいて、１つのリング内に、クロージャを束ねるブランケットを構成するノードのレイヤより下位のレイヤのノードが複数ある場合、前記下位のレイヤの中で最上位のレイヤのノードを代表ノードと決定し、
前記クロージャにおいて、前記代表ノードのレイヤが同一の複数のリングが存在する場合、接続されるノード数が少ないリングが、接続されるノード数が多いリングより縦方向の内側になるように配置する請求項１に記載のネットワーク構成図出力装置。
【請求項３】
前記縦方向配置部は、
前記クロージャにおいて、１つのリング内に、クロージャを束ねるブランケットを構成するノードのレイヤより下位のレイヤのノードが複数ある場合、前記下位のレイヤの中で最上位のレイヤのノードを代表ノードと決定し、
前記クロージャにおいて、前記代表ノードのレイヤが同一で、かつノード数が同数の複数のリングが存在する場合、リングを識別するリングＩＤ の番号が小さい方のリングが、リンクＩＤの番号が大きい方のリングの縦方向の内側になるように配置する請求項１に記載のネットワーク構成図出力装置。
【請求項４】
前記縦方向配置部は、
前記クロージャの中にさらにクロージャが存在するかを判定し、存在すれば、配置処理を再帰的に行う請求項１から３のいずれか一項に記載のネットワーク構成図出力装置。
【請求項５】
前記縦方向配置部によって配置された前記ノードが重ならないように、横方向の配置を決定する横方向配置部をさらに備えた請求項１から４のいずれか一項に記載のネットワーク構成図出力装置。
【請求項６】
複数のノードがリングに接続されたリング型ネットワークの接続情報と、各ノードに付与されたレイヤを示すレイヤ情報と、を読み込む接続情報入力ステップと、
ノードの集合であるブランケットに接続するリングが複数存在する構成であるクロージャにおいて、レイヤが低いノードが接続されているリングを、クロージャの縦方向の内側になるように配置する縦方向配置ステップと、
前記縦方向配置ステップによる前記リング及び前記ノードの配置の結果を示す情報を出力する構成図出力ステップと、を有し、
各ノードの前記レイヤは、当該ノードをクロージャの頂点とした場合、前記クロージャを構成するリングに接続される配下のノード数が多いほど高いレイヤが設定されるというネットワーク特性に従って付与される
ネットワーク構成図出力方法。
【請求項７】
コンピュータを、請求項１から５のいずれか一項に記載のネットワーク構成図出力装置として機能させるためのネットワーク構成図出力プログラム。
【発明の詳細な説明】
【技術分野】
【０００１】
本発明は、ネットワーク構成図出力装置、ネットワーク構成図出力方法及びネットワーク構成図出力プログラムに関する。
【背景技術】
【０００２】
従来から、広範囲の構成情報を一度に把握できる構成図を表示するとともに、表示情報の中から特定の条件を満たす管理対象のみを部分的に抽出して表示できるネットワ−ク構成図表示装置が知られている（例えば、特許文献１参照）。このネットワ−ク構成図表示装置は管理対象情報収集部が、管理対象からの情報を収集し、それらのデ−タを管理対象情報格納部に格納する。そして、収集した構成情報や管理対象の動作状態は、構成図編集部から表示指示が送られ、表示部上にグラフィカルな構成図として一画面で表示し、利用者が広範囲の情報を確認することを可能とする。
【先行技術文献】
【特許文献】
【０００３】
【特許文献１】特開平７−３６４１９号公報
【発明の概要】
【発明が解決しようとする課題】
【０００４】
ところで、ネットワークの１つの形態としてリング型ネットワークというものがある。リング型ネットワークは、信号の流れを時計回り、反時計回りにして使用することができる。このため、故障が発生した場合に反対回りを使用することができ、故障の影響を大きくしない特徴を有している。また、リング同士を接続することにより大規模なネットワーク構成も可能である。
【０００５】
従来は、１つのリング型ネットワーク構成の構成図の管理は行われていたが、リング同士を接続した大規模なリング型ネットワークの構成図を作成して表示することができなかった。特に、ネットワーク機器（以下「ノード」という）の増設などに伴い、ネットワーク構成が変化していくと、見づらいネットワーク構成図となっていた。これは、リング型ネットワークの特徴である信号の流れを時計回り、反時計回りとすることができるため、ツリー型のネットワークと比べて、複雑となるためである。
【０００６】
本発明は、このような事情に鑑みてなされたもので、リング型ネットワークのネットワーク構成図を表示する際に、コンパクトで見やすいネットワーク構成図を作成して表示することができるネットワーク構成図出力装置、ネットワーク構成図出力方法及びネットワーク構成図出力プログラムを提供することを目的とする。
【課題を解決するための手段】
【０００７】
本発明の一態様は、配下のノード数が多いというネットワーク的な特性を有しているほど高いレイヤが設定されている複数のノード間をリング型ネットワークによって構成したネットワークの接続情報とレイヤ情報とを読み込む接続情報入力部と、リング同士の接続部分を構成するノードの集合、最上位リングに接続されている他のノードより上位のレイヤのノードの集合、最下位リングに接続されている他のノードより下位のレイヤのノードのそれぞれ、のいずれかであるブランケットに接続するリングが複数存在する構成であるクロージャにおいて、リングに接続されているノードのうち、レイヤが低いノードが接続されているリングをクロージャの縦方向の内側になるように配置する縦方向配置部と、前記縦方向配置部による前記リング及び前記ノードの配置の結果を示す情報を出力する構成図出力部とを備えたネットワーク構成図出力装置である。
【０００８】
本発明の一態様は、前記ネットワーク構成図出力装置であって、前記縦方向配置部は、前記クロージャにおいて、クロージャを束ねるブランケットを構成するノードのレイヤより下位のレイヤのノードが一つのリング内に複数あり、該レイヤの中で一番上位のレイヤのノードを基準となるノードである代表ノードと決定する。
【０００９】
本発明の一態様は、前記ネットワーク構成図出力装置であって、前記縦方向配置部は、前記クロージャにおいて、リングに接続される代表ノードのレイヤが同一で、かつ異なるリングが複数存在する場合、リングに接続されるノードの数が少ないリングをクロージャの縦方向の内側になるように配置する。
【００１０】
本発明の一態様は、前記ネットワーク構成図出力装置であって、前記縦方向配置部は、前記クロージャにおいて、リングに接続される代表ノードのレイヤが同一で、かつノード数が同数の場合、リングに付与されているリングを識別するためのリングＩＤの番号の小さいリングをクロージャの縦方向の内側になるように配置する。
【００１１】
本発明の一態様は、前記ネットワーク構成図出力装置であって、前記縦方向配置部は、前記クロージャの中にさらにクロージャが存在するかを判定し、存在すれば、配置処理を再帰的に行う。
【００１２】
本発明の一態様は、前記ネットワーク構成図出力装置であって、前記縦方向配置部によって配置された前記ノードが重ならないように、横方向の配置を決定する横方向配置部をさらに備えた。
【００１３】
本発明の一態様は、配下のノード数が多いというネットワーク的な特性を有しているほど高いレイヤが設定されている複数のノード間をリング型ネットワークによって構成したネットワークの接続情報とレイヤ情報とを読み込む接続情報入力ステップと、リング同士の接続部分を構成するノードの集合、最上位リングに接続されている他のノードより上位のレイヤのノードの集合、最下位リングに接続されている他のノードより下位のレイヤのノードのそれぞれ、のいずれかであるブランケットに接続するリングが複数存在する構成であるクロージャにおいて、リングに接続されているノードのうち、レイヤが低いノードが接続されているリングをクロージャの縦方向の内側になるように配置する縦方向配置ステップと、前記縦方向配置ステップによる前記リング及び前記ノードの配置の結果を示す情報を出力する構成図出力ステップとを有するネットワーク構成図出力方法である。
【００１４】
本発明の一態様は、コンピュータを、前記ネットワーク構成図出力装置として機能させるためのネットワーク構成図出力プログラムである。
【発明の効果】
【００１５】
本発明によれば、リング型ネットワークのネットワーク構成図を表示する際に、コンパクトで見やすいネットワーク構成図を作成して表示することができるという効果が得られる。
【図面の簡単な説明】
【００１６】
【図１】本発明の実施形態によるネットワーク構成図出力装置の構成を示すブロック図である。
【図２】図１に示すブランケット構成部１３の動作を示すフローチャートである。
【図３】ブランケットの例を示す説明図である。
【図４】図１に示すクロージャ構成部１５の動作を示すフローチャートである。
【図５】クロージャの一例を示す説明図である。
【図６】図１に示すクロージャ縦方向配置部１７の動作を示すフローチャートである。
【図７】図１に示すクロージャ横方向配置部１９の動作を示すフローチャートである。
【図８】クロージャを構成するノードの横方向の配置位置の一例を示す説明図である。
【図９】ノードの配置例を示す説明図である。
【図１０】図１に示す構成図出力部２０の動作を示すフローチャートである。
【図１１】表示部２１に描画したネットワーク構成図の一部の例を示す図である。
【図１２】図１に示すネットワーク構成図出力装置１の全体の動作を示すフローチャートである。
【発明を実施するための形態】
【００１７】
以下、図面を参照して、本発明の実施形態によるネットワーク構成図出力装置を説明する。はじめに、用語の定義を行う。「ネットワーク構成管理情報」とは、全体のネットワーク構成に関する管理情報であり、ネットワーク機器（以下「ノード」という。）の接続状況の情報が含まれる。「接続情報」とは、ノードのどのポートと他のノードのどのポートが接続されているかを示す情報である。ノードには、ノードを識別する識別情報が付与されているとともに、ノードのポートについてもポートを識別する識別情報が付与されている。
【００１８】
「ブランケット」とは、以下の３つのいずれかである。（１）リング同士の接続部分を構成するノード集合。（２）最上位リングにおける他のノードより上位のレイヤのノードの集合。（３）最下位リングにおける他のノードより下位のレイヤのノードのそれぞれ。「クロージャ」とは、各ブランケットから接続するリングが複数存在する構成のことである。「レイヤ」とは、各ノードに付与された階層である。レイヤが上位（数値が小さい）であるほど配下のノード数が多くなるというネットワーク的な特性があり、レイヤが下位（数値が大きい）であるほど配下のノード数が少なくなるというネットワーク的な特性がある。例えば、配下のノードの実際の数に応じてレイヤの階層が決定されてもよい。例えば、“中枢ネットワークに近いノードであるほど配下のノードの数が多い可能性が高い”ということに基づいて、中枢ネットワークに近いノードであるほど高いレイヤとして決定されてもよい。後者のような構成が採用されることにより、配下のノードの実際の数を計数することなく高速に処理を行う事が可能となる。レイヤは、例えば、１から８まで存在し、ネットワーク構成管理情報において予め定義されている。
【００１９】
図１は同実施形態の構成を示すブロック図である。ネットワーク構成図出力装置１は、コンピュータ装置によって構成する。ネットワーク構成図出力装置１は、接続情報入力部１１と、ブランケット構成部１３と、クロージャ構成部１５と、クロージャ縦配置部１７と、クロージャ横配置部１９と、構成図出力部２０の６つの処理部を備える。また、ネットワーク構成図出力装置１は、接続情報記憶部１２、ブランケット情報記憶部１４、クロージャ情報記憶部１６、配置情報記憶部１８の４つの記憶部を備える。なお、４つの記憶部はネットワーク構成図出力装置１の外部に接続されていてもよい。
【００２０】
また、ネットワーク構成図出力装置１は、構成図出力部２０の出力に基づいてネットワーク構成図を表示する表示装置等で構成する表示部２１が接続されている。なお、ネットワーク構成図の出力は、表示部２１に表示するだけでなく、印刷装置によって印刷するようにしてもよい。
【００２１】
ネットワーク構成管理情報が記憶されたネットワーク構成管理情報記憶部３０は、オンラインでネットワーク構成図出力装置１に接続されていてもよいし、オフラインで接続情報を接続情報入力部１１に入力するようにしてもよい。
【００２２】
接続情報入力部１１は、ネットワーク構成管理情報記憶部３０からオンラインまたはオフラインで、接続情報を入力する。接続情報入力部１１は、入力した接続情報を、接続情報記憶部１２に記憶する。接続情報記憶部１２に記憶される接続情報には、ノードのどのポートと他のノードのどのポートが接続されているかを示す情報と、ノードのレイヤを示す情報が含まれている。
【００２３】
ブランケット構成部１３は、接続情報記憶部１２に記憶されている接続情報からブランケットとなるノードの構成を抽出する。ブランケット構成部１３は、抽出したブランケットをブランケット情報として、ブランケット情報記憶部１４に記憶する。
【００２４】
クロージャ構成部１５は、ブランケット情報記憶部１４に記憶されているブランケット情報と、接続情報記憶部１２に記憶されている接続情報とを参照して、クロージャとなるノードの構成を抽出する。クロージャ構成部１５は、抽出した抽出したクロージャをクロージャ情報として、クロージャ情報記憶部１６に記憶する。
【００２５】
クロージャ縦方向配置部１７は、クロージャ情報記憶部１６に記憶されているクロージャ情報と接続情報記憶部１２に記憶されている接続情報とを参照して、クロージャを構成するノードの縦方向の配置位置を決定する。クロージャ縦方向配置部１７は、配置したノードの配置情報を配置情報記憶部１８に記憶する。クロージャ縦方向配置部１７において、決定されるのは、縦方向の座標値だけで、横方向は未定のままである。
【００２６】
クロージャ横方向配置部１９は、配置情報記憶部１８に記憶されている配置情報と接続情報記憶部１２に記憶されている接続情報とを参照して、未定だったクロージャを構成するノードの横方向の配置位置を決定する。クロージャ横方向配置部１９は、配置したノードの配置情報を配置情報記憶部１８に記憶する。
【００２７】
構成図出力部２０は、配置情報記憶部１８に記憶されている配置情報に基づいて、ネットワーク構成図を作図し、表示部２１に表示する。
【００２８】
次に、図２を参照して、図１に示すブランケット構成部１３の動作を説明する。図２は、図１に示すブランケット構成部１３の動作を示すフローチャートである。まず、ブランケット構成部１３は、接続情報記憶部１２に記憶されている接続情報を読み込む（ステップＳ１）。そして、ブランケット構成部１３は、接続情報を参照して、リング同士の接続部分を構成するノードをブランケットとして抽出する（ステップＳ２）。
【００２９】
次に、ブランケット構成部１３は、最上位リングに接続されたノードのうち、上位レイヤのノードをブランケットとして抽出する（ステップＳ３）。続いて、ブランケット構成部１３は、最下位リングに接続されたノードのうち、下位レイヤのノードをブランケットとして抽出する（ステップＳ４）。
【００３０】
次に、ブランケット構成部１３は、抽出したブランケットをブランケット情報記憶部１４に記憶する（ステップＳ５）。ブランケットには、識別可能なブランケット識別情報が付与されて記憶される。このような動作によって、ブランケット情報記憶部１４には、図３に示すブランケットとなるノードの識別情報がブランケット情報として記憶される。図３は、ブランケットの例を示す説明図である。この図において、破線で囲った部分がブランケットとなるノード、またはノードの集合である。
【００３１】
次に、図４を参照して、図１に示すクロージャ構成部１５の動作を説明する。図４は、図１に示すクロージャ構成部１５の動作を示すフローチャートである。まず、クロージャ構成部１５は、ブランケット情報記憶部１４に記憶されているブランケット情報と接続情報記憶部１２に記憶されている接続情報とを読み込む（ステップＳ１１）。そして、クロージャ構成部１５は、ブランケットそれぞれについて、クロージャが構成されているか否かを判定しながら、クロージャを構成するブランケットを抽出する（ステップＳ１２）。
【００３２】
次に、クロージャ構成部１５は、抽出したクロージャをクロージャ情報記憶部１６に記憶する（ステップＳ１３）。クロージャには、識別可能なクロージャ識別情報が付与されて記憶される。このような動作によって、クロージャ情報記憶部１６には、図５に示すブクロージャを構成するノードの識別情報が関係付けられたクロージャ識別情報がクロージャ情報として記憶される。図５は、クロージャの一例を示す説明図である。図５に示すノードの集合が１つのクロージャである。
【００３３】
次に、図６を参照して、図１に示すクロージャ縦方向配置部１７の動作を説明する。図６は、図１に示すクロージャ縦方向配置部１７の動作を示すフローチャートである。まず、クロージャ縦方向配置部１７は、クロージャ情報記憶部１６に記憶されているクロージャ情報と、接続情報記憶部１２に記憶されている接続情報を読み込む（ステップＳ２１）。
【００３４】
次に、クロージャ縦方向配置部１７は、下位レイヤのノードが１つのリング内に複数あり、そのレイヤが異なる場合、そのレイヤの中で一番上位のレイヤのノードを代表ノードと決める（ステップＳ２２）。
【００３５】
次に、クロージャ縦方向配置部１７は、リングに接続されているノードのうち、下位レイヤの代表ノードが接続されているリングをクロージャの縦方向の内側になるように配置する（ステップＳ２３）。
【００３６】
次に、クロージャ縦方向配置部１７は、レイヤが同一で異なるリングが複数存在する場合、リング内のノードの数が少ないリングをクロージャの縦方向の内側になるように配置する（ステップＳ２４）。
【００３７】
次に、クロージャ縦方向配置部１７は、レイヤが同一で、かつノード数が同数の場合、リングに付与されているリングＩＤ（４桁の番号）の小さいリングをクロージャの縦方向の内側になるように配置する（ステップＳ２５）。
【００３８】
次に、クロージャ縦方向配置部１７は、上記の処理によって決定した縦方向の配置位置情報（座標情報）を配置情報記憶部１８に記憶する（ステップ２６）。
【００３９】
次に、クロージャ縦方向配置部１７は、クロージャの中にさらにクロージャが存在するかを判定し、存在すれば、配置処理を再帰的に（ステップＳ２２〜Ｓ２６の処理）行う（ステップＳ２７）。このような動作によって、配置情報記憶部１８には、各ノードの縦方向の配置位置が決定する。ただし、横方向の配置位置は未定のままである。
【００４０】
次に、図７を参照して、図１に示すクロージャ横方向配置部１９の動作を説明する。図７は、図１に示すクロージャ横方向配置部１９の動作を示すフローチャートである。まず、クロージャ横方向配置部１９は、配置位置情報記憶部１８から配置情報を読み込む（ステップＳ３１）。
【００４１】
次に、クロージャ横方向配置部１９は、図８に示すように、クロージャの頂点となるブランケットを構成するノードを、配下のノードの幅の中央に配置するように、ノード間の間隔を計算する（ステップＳ３２）。すなわち、クロージャ縦方向配置部１７において未定だった横方向配置位置を、ノードが重ならないように配置するための間隔を計算する。図８は、クロージャを構成するノードの横方向の配置位置の一例を示す説明図である。そして、この計算結果に基づいて、未定だった横方向の配置位置を決定する。クロージャ横方向配置部１９は、クロージャの中にクロージャが存在する場合、横幅の計算を再帰的に行う。
【００４２】
次に、クロージャ横方向配置部１９は、上記の処理によって決定した横方向の配置位置情報（座標情報）を配置情報記憶部１８に記憶する（ステップ３３）。このような動作によって、配置情報記憶部１８には、図９に示すように各ノードの縦横方向の配置位置が決定する。図９は、ノードの配置例を示す説明図である。
【００４３】
次に、図１０を参照して、図１に示す構成部出力部２０の動作を説明する。図１０は、、図１に示す構成図出力部２０の動作を示すフローチャートである。まず、構成図出力部２０は、配置情報記憶部１８に記憶されているノードの配置位置情報を読み込む（ステップＳ４１）。そして、構成図出力部２０は、読み込んだノードの配置位置情報に基づいてネットワーク構成図の描画を表示部２１に対して行う（ステップＳ４２）。この動作によって、表示部２１には、ネットワーク構成図が表示される。図１１は、前述した動作によって、表示部２１に描画したネットワーク構成図の一部を描画した例を示す図である。
【００４４】
次に、図１２を参照して、図１に示すネットワーク構成図出力装置１の全体の動作を説明する。図１２は、図１に示すネットワーク構成図出力装置１の全体の動作を示すフローチャートである。
【００４５】
まず、接続情報入力部１１は、接続情報を入力する（ステップＳ５１）。続いて、ブランケット構成部１３は、接続情報からブランケットを抽出する（ステップＳ５２）。
【００４６】
次に、クロージャ構成部１５は、ブランケット情報からクロージャを抽出する（ステップＳ５３）。続いて、クロージャ縦方向配置部１７は、クロージャ情報からクロージャの縦方向配置を決定する（ステップＳ５４）。
【００４７】
次に、クロージャ横方向配置部１９は、縦方向の配置位置か決定した配置情報からクロージャの横方向配置を決定する（ステップＳ５５）。そして、構成図出力部２０は、配置情報からネットワーク構成図を表示部２１に描画する（ステップＳ５６）。
【００４８】
以上説明したように、リングに接続されるノードの縦方向配置と横方向配置を最適化したため、隙間が少なく、リングの線が重ならずコンパクトなネットワーク構成図を描画することが可能となる。
【００４９】
なお、前述した説明においては、ネットワーク構成図を表示する度に接続情報入力する説明を行ったが、定期的に接続入力部１１が、ネットワーク構成管理情報から接続情報を読み込み、接続情報記憶部１２を更新するようにしてもよい。
【００５０】
また、図１に示す装置構成は、スタンドアロン型の装置構成であるが、構成図出力部２０を除く他の構成をサーバ内に設け、構成図出力部２０をクライアントである端末装置に設けたサーバ・クライアント方式を採用してもよい。この場合、サーバからクライアントに対して、配置情報を受け渡すようにすればよい。
【００５１】
また、描画しようとするネットワーク構成図が一画面に入り切らない場合は、縦横にスクロール可能なスクロールバーを設けるようにしてもよい。さらに、ネットワーク構成図を画面上で拡大・縮小する機能を備えていてもよい。
【００５２】
前述した実施形態におけるネットワーク構成図出力装置の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００５３】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００５４】
リング型ネットワークにおいて、コンパクトで見やすいネットワーク構成図を作成して表示することが不可欠な用途にも適用できる。
【符号の説明】
【００５５】
１・・・ネットワーク構成図出力装置、１１・・・接続情報入力部、１２・・・接続情報記憶部、１３・・・ブランケット構成部、１４・・・ブランケット情報記憶部、１５・・・クロージャ構成部、１６・・・クロージャ情報記憶部、１７・・・クロージャ縦方向配置部、１８・・・配置情報記憶部、１９・・・クロージャ横方向配置部、２０・・・構成図出力部、２１・・・表示部、３０・・・ネットワーク構成管理情報記憶部
【図１】
0006676474.tif 000002
【図２】
0006676474.tif 000003
【図３】
0006676474.tif 000004
【図４】
0006676474.tif 000005
【図５】
0006676474.tif 000006
【図６】
0006676474.tif 000007
【図７】
0006676474.tif 000008
【図８】
0006676474.tif 000009
【図９】
0006676474.tif 000010
【図１０】
0006676474.tif 000011
【図１１】
0006676474.tif 000012
【図１２】
0006676474.tif 000013